(57)【要約】【課題】  別途に流出空間部等を設けることなく、射出成形において、樹脂材料からなる継手等の中空の本体部にウェルドが発生するのを防止することにより、前記本体部の強度を大きくし、もって、金属材料からなる継手等の本体部と比較して接続等の作業性、運搬性を向上する。【解決手段】  二方に開口する開口部１５どうしの連通を遮断する遮断壁１４が本体部１２の内部に一体に形成された一次成形品１１を、金型内において樹脂材料が前記遮断壁１４の充填空間に充填された後、前記本体部１２の軸方向に沿って該本体部１２の周壁１３の充填空間に充填されるよう射出成形することによって形成し、次いで、前記射出成形によって形成された一次成形品１１の遮断壁１４をドリル４１で除去することにより、開口部１５どうしが連通した中空の本体部１２を形成する。【選択図】  図６
2005096393.tif 000002
【特許請求の範囲】
【請求項１】
少なくとも二方に開口する開口部を有して該開口部どうしが連通する中空の本体部を備えた合成樹脂成形品の製造方法であって、
前記開口部どうしの連通を遮断する遮断壁が前記本体部の内部に一体に形成された一次成形品を、前記遮断壁を通過する樹脂材料が前記本体部の周壁に充填されるよう成形し、
次いで、前記成形された一次成形品の遮断壁を除去することにより、前記中空の本体部を形成することを特徴とする合成樹脂成形品の製造方法。
【請求項２】
前記樹脂材料を充填する際、該樹脂材料が最初に遮断壁に充填されるよう、その充填口が前記遮断壁に隣接して設けられたことを特徴とする請求項１に記載の合成樹脂成形品の製造方法。
【請求項３】
前記充填口は、遮断壁にその側方向から充填されるよう設けられたことを特徴とする請求項２に記載の合成樹脂成形品の製造方法。
【請求項４】
前記本体部は、その横断面が環状に形成され、
前記充填口は、遮断壁の円中心に設けられたことを特徴とする請求項３に記載の合成樹脂成形品の製造方法。
【請求項５】
前記一次成形品の遮断壁の肉厚は、前記本体部の周壁の肉厚より厚く形成されることを特徴とする請求項１乃至請求項４のいずれか１項に記載の合成樹脂成形品の製造方法。
【請求項６】
前記一次成形品の本体部は、両端に二つの開口部を有する筒状体で形成され、前記遮断壁は前記筒状体の長手方向の中央部に形成されることを特徴とする請求項１乃至請求項５のいずれか１項に記載の合成樹脂成形品の製造方法。
【請求項７】
前記一次成形品の本体部は、両端に開口部を有する第一筒状部と、前記第一筒状部から分岐するとともに先端に開口部を有する一または複数の第二筒状部とを備え、
遮断壁は、前記本体部内の第二筒状部の分岐箇所において、前記第一筒状部及び第二筒状部の開口部の連通を遮断すべく、一または複数で形成されることを特徴とする請求項１乃至請求項６のいずれか１項に記載の合成樹脂成形品の製造方法。
【請求項８】
前記遮断壁は、面軸が第一筒状部の軸方向と略同一の第一遮断壁と、面軸が第二筒状部の軸方向と略同一の第二遮断壁とで形成されることを特徴とする請求項７に記載の合成樹脂成形品の製造方法。
【請求項９】
少なくとも二方に開口する開口部を有してこれらの開口部どうしが連通する中空の本体部を備えた合成樹脂成形品の製造方法であって、
前記開口部を閉塞する閉塞壁が前記本体部の端部に一体に形成された一次成形品を、前記閉塞壁を通過した樹脂材料が前記本体部の周壁に充填されるよう成形し、
次いで、前記成形された一次成形品の閉塞壁を除去することにより、前記中空の本体部を形成することを特徴とする合成樹脂成形品の製造方法。
【請求項１０】
前記樹脂材料を充填する際、該樹脂材料が最初に閉塞壁に充填されるよう、その充填口が前記閉塞壁に隣接して設けられたことを特徴とする請求項９に記載の合成樹脂成形品の製造方法。
【請求項１１】
前記一次成形品の本体部は、両端に二つの開口部を有する筒状体で形成され、前記閉塞壁は前記筒状体の長手方向の一端部に形成されることを特徴とする請求項９または請求項１０に記載の合成樹脂成形品の製造方法。
【請求項１２】
少なくとも二方に開口する開口部を有し、該開口部どうしが連通する中空の本体部と、
前記本体部の内部に一体に形成されて前記開口部どうしの連通を遮断する遮断壁または前記本体部の端部に一体に形成されて前記開口部を閉塞する閉塞壁とを備え、
前記遮断壁または閉塞壁を通過する樹脂材料が前記本体部の周壁に充填されるよう成形され、
前記遮断壁または前記閉塞壁が除去可能に形成されたことを特徴とする一次成形品。
【請求項１３】
少なくとも二方に開口する開口部を有し、該開口部どうしが連通する中空の本体部を備えた合成樹脂成形品であって、
前記中空の本体部は、その内部に前記開口部どうしの連通を遮断する遮断壁が一体に設けられた一次成形品またはその端部に前記開口部を閉塞する閉塞壁が一体に設けられた一次成形品を、前記遮断壁または閉塞壁を通過する樹脂材料が前記本体部の周壁に充填されるよう成形し、次いで、前記一次成形品の遮断壁または閉塞壁を除去することによって形成されることを特徴とする合成樹脂成形品。
【請求項１４】
前記合成樹脂成形品は、継手部材であることを特徴とする請求項１３に記載の合成樹脂成形品。
【請求項１５】
前記合成樹脂成形品は、通水管の継手であることを特徴とする請求項１３に記載の合成樹脂成形品。
【請求項１６】
前記合成樹脂成形品は、配管材の継手であることを特徴とする請求項１３に記載の合成樹脂成形品。
【請求項１７】
前記合成樹脂成形品は、通水管の分岐管であることを特徴とする請求項１３に記載の合成樹脂成形品。
【発明の詳細な説明】
【技術分野】
【０００１】
本発明は、通水管の継手、電線管や鞘管などの配管材の継手、通水管の分岐管等の合成樹脂成形品の製造方法、一次成形品及び合成樹脂成形品に関するものであり、特に、射出成形によって長手方向に沿ってウェルドが発生するのを防止する合成樹脂成形品の製造方法、一次成形品及び合成樹脂成形品に関するものである。
【背景技術】
【０００２】
従来より、例えば、内部に湯水等の流体が流れる筒状部を備えた継手は、その筒状部の内側から作用する流体圧力に耐え得る強度を備えていなければならないから、一般には、金属材料を使用して作製されている。
しかし、金属材料からなるこのような継手等は湯水等によって腐食し易いという不具合があった。また、重いために取扱いが面倒で、接続等の作業性が悪く、運搬性も劣るなどの不具合もあった。更に、材料費や加工費等もコスト高であった。このため、継手等は合成樹脂材料を使用して作製することが要望されていた。
【０００３】
ところが、筒状部を備えた継手などは一般には射出成形によって作製されるが、射出成形において前記筒状部にウェルドが発生する。このウェルドは、前記筒状部の外壁に設けた樹脂注入用のゲートから注入された樹脂材料が該筒状部の周壁のキャビティである充填空間内を周方向及び軸方向に流れて充填されるときに、前記ゲートを中心として相反する２方向に分流して周方向に流れた樹脂材料が前記ゲートと反対側において再度合流する際に、分流した樹脂材料はその流動先端部における温度が低下していること、また、合流境界部に空気や発生ガスが巻込まれることなどが原因となって発生する。ウェルドはこのような原因によって発生するため、一旦ゲートから注入された樹脂材料が相反する２方向に分流し、ゲートと反対側において再度合流する位置において周壁に長手方向に沿って略直線状にウェルドラインが形成されることになる。
【０００４】
継手等の筒状部にこのようなウェルドが発生すると、その部分の強度が不足し、湯水等の流体の圧力に耐え得る強度を確保できず、使用中のクリープ現象によって破損してしまうことがあった。
【０００５】
そこで、樹脂材料の射出成形におけるウェルド発生を防止する手段として、特開２００２−３４０２７３号公報に掲載の技術が開示されている。
図２８は前記特開２００２−３４０２７３号公報に掲載されたスリーブ型管継手の要部断面図であり、図２８において、管７０を接続するための継手６１は継手本体６２とスリーブ６３とによって構成されている。前記スリーブ６３は小径部６４と大径部６５とを備え、大径部６５に設けられたゲート６９の位置に対して円周上での反対側に生じるウェルド部６７にリブ６６を形成し、このリブ６６を形成する流出口６８において、小径部６４に樹脂材料を流出させている。
【０００６】
一般に、この種の継手６１を射出成形する場合は、大径部６５に設けられたゲート位置に対して円周上での反対側にウェルドが発生することになるが、前記特開２００２−３４０２７３号公報に掲載のスリーブ型管継手においては、図２８及び図２９に示すように、ウェルド部６７の発生箇所に流出口６８を設け、この部分にリブ６６を形成することによって、周方向を２方向から分流してきた樹脂材料を前記流出口６８から小径部６４に流出させている。これにより、所要の強度を要する大径部６５においてはウェルドの発生を防止することができ、その部分の強度低下を防止できる。
【０００７】
【特許文献１】特開２００２−３４０２７３号公報（図１、図３）
【発明の開示】
【発明が解決しようとする課題】
【０００８】
前記特開２００２−３４０２７３号公報に記載されたスリーブ型管継手は、所要の強度を要する大径部６５でのウェルドの発生を防止することができる。しかし、前記スリーブ型管継手は、大径部６５においてウェルドの発生部分で合流する樹脂材料をリブ６６を形成する流出口６８を通して小径部６４に流出させることにより、大径部６５でのウェルドの発生を防止したものであり、前記小径部６４などの流出空間部が付帯しない継手等の樹脂成形品の射出成形には適用できないものである。
【０００９】
そこで、本発明は、別途に流出空間部等を設けることなく、成形において、樹脂材料からなる継手等の中空の本体部にウェルドが発生するのを防止することにより、前記本体部の強度を大きくし、もって、金属材料からなる継手等の本体部と比較して接続等の作業性、運搬性を向上できる合成樹脂成形品の製造方法、一次成形品及び合成樹脂成形品の提供を課題とするものである。
【課題を解決するための手段】
【００１０】
請求項１に係る発明は、少なくとも二方に開口する開口部を有し、該開口部どうしが連通する中空の本体部、を備えた合成樹脂成形品の製造方法であって、前記開口部どうしの連通を遮断する遮断壁が前記本体部の内部に一体に形成された一次成形品を、前記遮断壁を通過する樹脂材料が前記本体部の周壁に充填されるよう成形し、次いで、前記成形された一次成形品の遮断壁を除去することにより、前記中空の本体部を形成することを特徴とする。
【００１１】
即ち、請求項１の発明では、まず、中空の本体部の内部に開口部どうしの連通を遮断する遮断壁を射出成形によって一体に形成し、一次成形品を形成する。ここで、前記一次成形品の形成においては、遮断壁を形成するための充填空間であるキャビティと前記本体部の周壁を形成するための充填空間であるキャビティとが前記周壁の全周に至って連通しているため、前記遮断壁の充填空間に樹脂材料が流入し、充填されると、当該樹脂材料は前記遮断壁との連通部から前記周壁の充填空間内に放射状に流入し、更に、軸方向に向けて流動することとなる。即ち、樹脂の注入口であるゲートから樹脂材料が注入されたとき、前記樹脂材料は直ちに周壁の充填空間内に流入するのではなく、一旦、遮断壁の充填空間内に流入し、充填された後、更にゲートから樹脂材料が金型内に充填されてくることにより、本体部の周壁の充填空間内に全周に至って放射状に流入し、前記遮断壁と直交する軸方向に流動して充填されることとなる。このため、金型内に射出された樹脂材料は２方向等に分流することなく遮断壁及び周壁に流入し、再合流することなくキャビティ内に充填されることになる。その結果、ゲートから離れた反対側の位置等においてウェルドが発生するのが防止される。
【００１２】
ここで、請求項１における「前記遮断壁を通過する樹脂材料が前記本体部の周壁に充填されるよう成形し、」とは、上記射出成形金型において言えば、遮断壁の充填空間であるキャビティを樹脂材料が通過した後、本体部の周縁の充填空間であるキャビティに充填して成形されることを意味する。
なお、遮断壁の充填空間と本体部の周壁の充填空間との連通部は一次成形品においては遮断壁と本体部の周壁との接合部となる。
【００１３】
次に、上記ウェルドを有しない一次成形品の遮断壁を除去して前記本体部における開口部を相互に連通させる。ここで、前記遮断壁を除去するには、例えば、ドリルによる穿孔によって行なうことができる。これにより、ウェルドのない中空の本体部が形成される。なお、前記ウェルドのない中空の本体部は射出成形そのものの状態で合成樹脂成形品となる場合もあるし、その後の切削加工、ねじ切り加工等の後加工によって前記中空の本体部を備えた合成樹脂成形品となる場合もある。
【００１４】
前記遮断壁は、例えば、中空の本体部の内部に軸方向と直交する方向に所定厚さの円板状の壁面として成形される。但し、前記壁面は軸方向と直交する方向でなくてもよく、傾斜面として形成されたものであってもよい。或いは、内部側或いは外部側に突出する湾曲面に形成されたものであってもよい。
【００１５】
また、キャビティにおける前記遮断壁の充填空間と本体部の周壁の充填空間との連通部は、金型において円弧面等の湾曲面に仕上げておくと、ゲートから充填された樹脂材料が前記遮断壁の充填空間から本体部の周壁の充填空間に向かって流れ易くなる。
【００１６】
請求項２に係る発明は、請求項１に記載の樹脂材料を充填する際、該樹脂材料が最初に遮断壁に充填されるよう、前記樹脂材料の充填口が前記遮断壁に隣接して設けられたものである。
【００１７】
請求項２においては、特に、樹脂材料を充填する充填口が、遮断壁に隣接する位置に設けられているから、樹脂材料は前記遮断壁の充填空間内に直接注入、充填され、本体部の周壁の充填空間に優先して注入、充填される。これにより、当該遮断壁の充填空間に連通する本体部の周壁の充填空間には、前記周壁の全周に至って均一に流動させることが可能となり、ウェルドの発生が一層効果的に防止される。
【００１８】
請求項３に係る発明は、請求項２に記載の充填口が、遮断壁にその側方向から充填されるよう設けられている。これにより、特に、遮断壁の側方から充填された樹脂材料は充填口から遮断壁の充填空間内を放射状に拡散するから、本体部の周壁の充填空間全体に至って均一に流入する。これにより、前記周壁の全周に至ってより確実に均一状態となって流動することとなり、ウェルドの発生はより確実に防止される。
【００１９】
請求項４に係る発明は、本体部の横断面が環状に形成され、請求項３に記載の充填口が、遮断壁の円中心に設けられている。これにより、特に、遮断壁の側方から充填された樹脂材料は遮断壁の円中心から該遮断壁の充填空間内を均一に放射状に拡散するから、請求項３の効果はより確実に高められる。
【００２０】
請求項５に係る発明は、請求項１乃至請求項４のいずれか１項に記載の一次成形品の遮断壁の肉厚が、前記本体部の周壁の肉厚より厚く形成されるものである。
遮断壁の肉厚が本体部の周壁の肉厚より厚く形成されるのは、換言すれば、遮断壁の充填空間の流路面積が本体部の周壁の充填空間の流路面積より大きく形成されており、このため、遮断壁の充填空間における樹脂材料の流動抵抗は本体部の周壁の充填空間における樹脂材料の流動抵抗よりも小さくなっている。これにより、樹脂材料が注入されたとき、当該遮断壁の充填空間に優先的に充填されることとなる。
【００２１】
請求項６に係る発明は、請求項１乃至請求項５のいずれか１項に記載の一次成形品の本体部が、両端に二つの開口部を有する筒状体で形成され、前記遮断壁は前記筒状体の長手方向の中央部に形成されるものである。この一次成形品は本体部の中央部に遮断壁を設け、前記遮断壁から本体部の両端に向けて周壁内に樹脂材料が流動するものである。したがって、樹脂材料は遮断壁を境とする両側の周壁の充填空間にバランスよく流れる。
前記一次成形品は、例えば直管の他、エルボ等の、二つの開口部を有する筒状体を形成するものである。
【００２２】
請求項７に係る発明は、請求項１乃至請求項６のいずれか１項に記載の一次成形品の本体部が、両端に開口部を有する第一筒状部と、前記第一筒状部から分岐するとともに先端に開口部を有する一または複数の第二筒状部とを備え、遮断壁が、前記本体部内の第二筒状部の分岐箇所において、前記第一筒状部及び第二筒状部の開口部の連通を遮断すべく、一または複数で形成されるものである。
前記一次成形品は、例えばＴ字状或いは十字状等、三つ以上の開口部を有する筒状体を形成するものであり、前記第二筒状部が第一筒状部に対して直交する方向に分岐するものに限らず、傾斜する方向に分岐するものも該当する。更に、前記一次成形品は略Ｙ字状などに形成されるものも該当する。
【００２３】
この一次成形品においては、遮断壁を分岐箇所に設定することにより、各遮断壁に充填された樹脂材料は各筒状部の開口部に向けて流れ、本体部の周壁の充填空間内に流入させる。この請求項７に係る発明においても、前記遮断壁の充填空間には周壁の充填空間の全周が連通しているから、樹脂材料の再合流が回避され、ウェルドの発生が防止される。
【００２４】
請求項８に係る発明は、請求項７に記載の遮断壁が、面軸が第一筒状部の軸方向と略同一の第一遮断壁と、面軸が第二筒状部の軸方向と略同一の第二遮断壁とで形成されるものである。
第一遮断壁及び第二遮断壁の各面軸がそれぞれ第一筒状部及び第二筒状部の軸方向と略同一に形成されているから、これらの遮断壁の壁面と連通する第一筒状部及び第二筒状部の周壁が前記各遮断壁と直交方向に均一に面して連通するから、前記遮断壁の充填空間に充填された樹脂材料は連通部から本体部の周壁の充填空間内に向けて放射状にほぼ均一に流入する。
【００２５】
請求項９に係る発明は、少なくとも二方に開口する開口部を有し、これらの  開口部どうしが連通する中空の本体部、を備えた合成樹脂成形品の製造方法であって、前記開口部を閉塞する閉塞壁が前記本体部の端部に一体に形成された一次成形品を、前記閉塞壁を通過した樹脂材料が前記本体部の周壁に充填されるよう成形し、次いで、前記成形された一次成形品の閉塞壁を除去することにより、前記中空の本体部を形成することを特徴とする。
【００２６】
請求項９の合成樹脂成形品の製造方法は、請求項１の合成樹脂成形品の製造方法における遮断壁を、前記中空の本体部の端部に一体に形成された閉塞壁としたものであり、請求項１と同様に、まず、中空の本体部の端部に閉塞壁が一体に形成された一次成形品を形成する。ここで、前記一次成形品の形成においては、閉塞壁の充填空間であるキャビティと前記本体部の周壁の充填空間であるキャビティとが前記周壁の全周に至って相互に連通しているため、前記閉塞壁の充填空間に樹脂材料が充填された後、該樹脂材料は前記周壁の充填空間の全周に至る前記閉塞壁との連通部から前記周壁の充填空間に流入し、軸方向に向けて流動することとなる。このため、金型内に射出された樹脂材料は２方向等に分流することなく閉塞壁及び周壁に流入し、再合流することなくキャビティ内に充填される。その結果、ゲートから離れた反対側の位置等においてウェルドが発生するのが防止される。
【００２７】
次に、上記ウェルドを有しない一次成形品の閉塞壁を除去して前記本体部における開口部を相互に連通させる。ここで、前記閉塞壁を除去するには、例えば、ドリルによる穿孔によって行なうことができる。或いは、本体部の周壁の外周方向からカッターにて本体部の軸方向と直交する方向に切断して前記閉塞壁を除去することができる。これにより、ウェルドのない中空の本体部が形成される。その後は、必要に応じて、切削加工、ねじ切り加工等の後加工を行なうことにより、前記中空の本体部を備えた合成樹脂成形品が製造される。
【００２８】
ここで、前記一次成形品のゲートは、前記閉塞壁と隣接して外方向から前記閉塞壁の面軸即ち面中心に向かう位置に設けられる。但し、前記ゲートは、前記閉塞壁と隣接して前記閉塞壁の外周壁に外側から軸中心に向かう半径方向に設けてもよい。
【００２９】
この閉塞壁を有する一次成形品は、本体部の一端部側から樹脂材料を充填するので比較的短寸法の合成樹脂成形品を製造する場合に、特に有効である。また、回転切削するカッターにて本体部の周壁の外周方向から本体部の軸方向と直交する方向に切断することによって前記閉塞壁を除去する場合は、前記本体部の内壁全体を射出成形したままの円滑な仕上面とすることができるので、流体が通流する本体部の内壁の仕上げを良くして内壁との流動抵抗を小さくしたい場合に、特に有効である。
【００３０】
前記閉塞壁は、請求項１と同様に、例えば、中空の本体部の内部に軸方向と直交する所定厚さの円板状の壁面として成形される。但し、前記壁面は軸方向と直交する方向でなくてもよく、傾斜面として形成されたものであってもよい。或いは、内部側或いは外部側に突出する湾曲面に形成されたものであってもよい。
また、前記閉塞壁の充填空間と本体部の周壁の充填空間との連通部は、金型において円弧面等の湾曲面に仕上げておくと、ゲートから充填された樹脂材料が前記閉塞壁の充填空間から本体部の周壁の充填空間に向かって流れ易くなる。
【００３１】
請求項１０に係る発明は、請求項９に記載の樹脂材料を充填する際、該樹脂材料が最初に前記閉塞壁に充填されるよう、充填口が前記閉塞壁に隣接して設けられたものであり、請求項２の構成と同様のものである。
【００３２】
請求項１１に係る発明は、請求項９または請求項１０に記載の一次成形品の本体部が、両端に二つの開口部を有する筒状体で形成され、閉塞壁は前記筒状体の長手方向の一端部に形成されるものである。
【００３３】
請求項１２に係る発明は、少なくとも二方に開口する開口部を有し、該開口部どうしが連通する中空の本体部と、前記本体部の内部に一体に形成されて前記開口部どうしの連通を遮断する遮断壁または前記本体部の端部に一体に形成されて前記開口部を閉塞する閉塞壁とを備え、前記遮断壁または閉塞壁を通過する樹脂材料が前記本体部の周壁に充填されるよう成形され、前記遮断壁または前記閉塞壁が除去可能に形成されたものである。
【００３４】
請求項１３に係る発明は、少なくとも二方に開口する開口部を有し、該開口部どうしが連通する中空の本体部を備えた合成樹脂成形品であって、前記中空の本体部は、その内部に前記開口部どうしの連通を遮断する遮断壁が一体に設けられた一次成形品またはその端部に前記開口部を閉塞する閉塞壁が一体に設けられた一次成形品を、前記遮断壁または閉塞壁を通過する樹脂材料が前記本体部の周壁に充填されるよう成形し、次いで、前記一次成形品の遮断壁または閉塞壁を除去することによって形成されるものである。
【００３５】
前記遮断壁または閉塞壁を除去してなる一次成形品を備えた合成樹脂成形品は、ウェルドが生成されていないので、中空の本体部の強度は大幅に向上し、もって、金属材料からなる継手等の筒状部と比較して接続等の作業性、運搬性に優れる。
【００３６】
請求項１４に係る発明は、請求項１３に記載の合成樹脂成形品が、継手部材であることを特徴とする。
【００３７】
請求項１５に係る発明は、請求項１３に記載の合成樹脂成形品が、通水管の継手であることを特徴とする。
【００３８】
請求項１６に係る発明は、請求項１３に記載の合成樹脂成形品が、配管材の継手であることを特徴とする。
【００３９】
請求項１７に係る発明は、請求項１３に記載の合成樹脂成形品が、通水管の分岐管であることを特徴とする。
【発明の効果】
【００４０】
本発明は、少なくとも二方に開口する開口部を有し、該開口部どうしが連通する中空の本体部、を備えた合成樹脂成形品の製造において、前記開口部どうしの連通を遮断する遮断壁が前記本体部の内部に一体に形成され、または、前記開口部を閉塞する閉塞壁が前記本体部の端部に一体に形成された一次成形品を、樹脂材料が前記遮断壁または閉塞壁に充填された後、前記本体部の軸方向に沿って該本体部の周壁に充填されるよう成形し、次いで、前記成形された一次成形品の遮断壁または閉塞壁を除去することにより、前記中空の本体部を形成するものである。
【００４１】
したがって、樹脂材料が注入されると、一旦、遮断壁または閉塞壁の充填空間に流入し、充填され、次いで、本体部の周壁の充填空間に全周に至って流入し、充填されることとなる。このため、注入された樹脂材料は相反する２方向等に分流することなく遮断壁または閉塞壁の充填空間に、次いで、本体部の周壁の充填空間に流入し、再合流することなく金型内に充填される。これにより、中空の本体部にウェルドが発生するのを防止することができる。その結果、中空の本体部の強度は大きくなるため、前記中空の本体部を備えた合成樹脂成形品を通水管の継手等として広く用いることができる。
【００４２】
この合成樹脂成形品は、金属材料からなる継手等と比較して、湯水等によって腐食しないから、一旦取付けた後は、長期使用が可能である。また、金属材料からなる継手等と比較して軽量であるため、取扱いが容易であり、接続等の作業性、運搬性が向上する。更に、一体成形できるので、製造コストを低減することができる。
【発明を実施するための最良の形態】
【００４３】
以下、本発明の実施形態を説明する。
〈第１実施形態〉
まず、本発明の第１実施形態を図１乃至図７に基づいて説明する。
図１及び図２は合成樹脂成形品としての通水管の継手を示し、継手１は合成樹脂からなる継手本体２と同じく合成樹脂からなるスリーブ３とによって構成されている。通水管４はゴム、樹脂等からなり、その先端部は前記継手１の継手本体２の接続部５に嵌着された後、前記スリーブ３を前記継手本体２側に向けて移動させることにより、該継手本体２とスリーブ３とによって挟持され、前記接合部５に接続されるようになっている。前記継手本体２及びスリーブ３は軸を中心として長手方向に中空となっており、これらは請求項の中空の本体部に相当するものである。
【００４４】
前記合成樹脂からなる継手本体２及びスリーブ３は射出成形によって形成することができる。以下、前記継手１の継手部材である継手本体２を図７に示す中空の本体部１２と模式化し、この製造方法を図３乃至図７に基づいて説明する。前記中空の本体部１２は円環状の周壁１３によって円管をなしている。
【００４５】
前記本体部１２を製造するには、まず、金型２１を使用して射出成形により、一次成形品１１を作製する。図３は射出成形の金型２１において樹脂材料が充填される充填空間であるキャビティ２２を示し、このキャビティ２２はコア型２３、キャビティ型２４、左右のスライド型２５及びスライド型２６によって、本体部１１の周壁１２の充填空間２６及び後述する遮断壁１４の充填空間２７を形成している。前記コア型２３とキャビティ型２４とは金型２１の型締め及び離型に伴って図３の上下方向に相対的に前進、後退移動し、左右のスライド型２５とスライド型２６とは図３の左右方向に相対的に前進、後退移動するようになっている。ここで、図３のＰＬはコア型２３とキャビティ型２４とのパーティングラインを示す。
【００４６】
前記本体部１２の周壁１３の充填空間２７はキャビティ２２の中央部に設けられた前記遮断壁１４の充填空間２８を境として左右に略同一長さで一対設けられており、前記遮断壁１４とはその周縁部の全周に至る連通部２９において連通している。前記遮断壁１４の充填空間２８は一定厚さの円板状をなし、キャビティ２２の中央部に上下方向に設けられている。前記樹脂材料は溶融状態でキャビティ２２の中央上端に設けられた注入口であるゲート３０から高圧で該キャビティ２２内に充填されるようになっている。
【００４７】
上記のような金型２１のゲート３０から樹脂材料を注入すると、図４に示すように、前記樹脂材料はゲート３０から直進して、まず、キャビティ２２の遮断壁１４の充填空間２８内を下方に流動し、前記充填空間２８内に充填される。そして、前記充填空間２８内に充填されると、次に、樹脂材料は前記遮断壁１４の充填空間２８から連通部２９に放射状に流れて左右の本体部１２の周壁１３の充填空間２７にそれぞれ流れ、前記各充填空間２７内を開口部１５に向けて軸方向に流れ、充填される。但し、前記樹脂材料は遮断壁１４の充填空間２８内に流入するときにその一部は同時に本体部１２の周壁１３の充填空間２７にも流入する。しかし、ゲート３０から注入された樹脂材料は前記充填空間２８の周壁１３に隣接して設けられているので、その流れの慣性により直進し、大半は、まず、遮断壁１４の充填空間２８内に流入し、充填されてから本体部１２の周壁１３の充填空間２７内に流入することとなる。
【００４８】
このようにして、樹脂材料がキャビティ２２内に充填されたら、所定時間金型２１を保持して冷却した後、前記金型２１を離型する。これにより、図５に示す左右両端に開口部１５を有する本体部１２と遮断壁１４とが一体成形されてなる一次成形品１１が完成する。なお、前記連通部２９は一次成形品１１においては本体部１２の周壁１３と遮断壁１４とを接合する接合部となる。
【００４９】
次に、一次成形品１１が完成したら、図６に示すように、前記一次成形品１１の一方の開口部１５からドリル４１を挿入し、遮断壁１４を穿孔して除去する。そして、本体部１２の周壁１３のゲート部分の仕上げを行なう。これによって、遮断壁１４が除去されて、図７に示す、両端の開口部１５どうしが連通する本体部１２が形成される。
【００５０】
このように、本実施形態においては、まず、射出成形によって中空の本体部１２の内部に遮断壁１４を有する一次成形品１１を形成する。ここで、前記一次成形品１１の形成においては、遮断壁１４の充填空間２８と前記本体部１２の周壁１３の充填空間２７とが周縁部の全周に至る連通部２９において連通しているため、前記遮断壁１４の充填空間２８に樹脂材料が充填された後、該樹脂材料は前記連通部２９から両開口部１５に向けて軸方向に流動する。即ち、樹脂材料はゲート３０から注入されたときに、直ちに周壁１３の充填空間２７内に流入するのではなく、大半は、一旦、遮断壁１４の充填空間２８内に流入し、充填された後、更に注入口から樹脂材料が金型２１のキャビティ２２内に押出されてくることにより、前記遮断壁１４と直交する方向に進路を変えて流動し、本体部１２の周壁１３の充填空間２７内にほぼ軸方向に沿って流動し、充填されることとなる。これにより、金型２１のキャビティ２２内に射出された樹脂材料は相反する２方向等に分流して周壁１３の充填空間２７内を周方向に流動することなく、遮断壁１４次いで周壁１３に流入して、再合流することなく軸方向に流れて前記周壁１３の充填空間２７内に充填される。その結果、相反する２方向に分流した樹脂材料の流動先端部がゲート３０から離れた反対側の位置等において合流することによって生ずるウェルドの発生が防止される。
【００５１】
一次成形品１１を形成した後は、上記ウェルドを有しない一次成形品１１の遮断壁１４を除去して前記本体部１２における開口部１５を連通させる。これにより、ウェルドのない中空の本体部１２が形成される。なお、前記ウェルドのない中空の本体部１２は射出成形そのものの状態で合成樹脂成形品となる場合もあるし、その後の切削加工、ねじ切り加工等の後加工によって前記中空の本体部１２を備えた合成樹脂成形品として製造される場合もある。
【００５２】
ところで、ウェルドの発生を防止する点からは、ゲート３０からキャビティ２２内に注入された樹脂材料は遮断壁１４の充填空間２８に一旦充填されてから本体部１２の周壁１３の充填空間２７内に流入して軸方向に流動するのが望ましい。それには、前記遮断壁１４の充填空間２８つまりは該遮断壁１４の形状等を樹脂材料の流動状況に応じて設定するとよい。
【００５３】
このため、上記実施形態においては、遮断壁１４は左右両側壁が平行面に形成されているが、例えば、図８に示すように、下方に広がった壁面を形成したものとすることが考えられる。或いは、図９に示すように、遮断壁１４の左右両側壁を、中央部で側方に突出した湾曲面に形成したものとすることが考えられる。
【００５４】
また、図１０に示すように、遮断壁１４の充填空間２８内に軸中心に沿って突出する円柱状の流動規制部３１を設けたものとすることもできる。この場合には、ゲート３０から注入された樹脂材料が前記遮断壁１４の充填空間２８内に流入した後、中央部の前記流動規制部３１の抵抗を受けて周縁側に拡散し、放射状に流れて連通部２９に導かれる可能性がある。また、一次成形品１１の完成後、遮断壁１４の中央部には前記流動規制部３１による貫通孔が形成されるため、ドリル４１の先端の位置合わせが容易となり、軸芯に合わせて穿孔し、前記遮断壁１４を除去できる。
【００５５】
なお、上記実施形態においては、遮断壁１４の充填空間２８と本体部１２の周壁１３の充填空間２７との連通部２９における内部側角部は、直角に形成しているが、図１１に示すように、円弧面等の湾曲面に仕上げておくと、前記連通部２９での樹脂材料の流れはよくなる。
【００５６】
以上、要するところ、遮断壁１４の充填空間２８については、樹脂材料が一旦遮断壁１４の充填空間２８内に充填された後、周壁１３の充填空間２７内に流入して軸方向に流動するよう、その流れの状況を把握しながら最適な遮断壁１４の充填空間２８を形成できるよう設計するとよい。
【００５７】
ところで、上記実施形態においては、合成樹脂成形品としての本体部１２は図１及び図２に示した通水管の継手１の継手本体２及びスリーブ３としているが、他に、例えば、図１２及び図１３に示すような、一方にスリーブ３を介して通水管４の接続部５を形成し、他方に雄ねじが螺刻されてヘッダ等の分岐管などの機器に接続するための螺着部６を形成した通水管の継手１の継手本体２とすることもできる。或いは、一部材からなる通水管の継手とすることもできる。また、図１４に示すような、接続部材５４と螺着して波付電線管５２を配線用ボックス５３に接続する配管材の継手としてのコネクタ５１とすることもできる。これらの図１２及び図１３に示した継手本体２、一部材からなる通水管の継手及び図１４に示したコネクタ５１も両端に開口部を有する中空体に形成されており、本実施形態における製造方法によって同様にウェルドの発生しない合成樹脂成形品を製造することができる。
【００５８】
更に、この二方向に開口部１５を有する中空の本体部１２を備えた合成樹脂成形品は上記の直管状の継手、コネクタの他に、エルボを採用することもでき、これを図１５及び図１６に示す。
図１５において、合成樹脂成形品であるエルボの製造途中の一次成形品１１は両開口部１５の略中間に位置する折曲部において管軸方向と略４５度の角度で傾斜する遮断壁１４が設けられている。一次成形品１１の射出成形に際しては、折曲部の外側湾曲部であって遮断壁１４の充填空間に隣接する位置にゲート３０を設け、このゲート３０から樹脂材料を充填すると、樹脂材料は一旦遮断壁１４の充填空間２８に流入した後、２方向に分かれて両側の円管部の周壁１３の充填空間内にそれぞれ流入し、充填される。そして、一次成形品１１が作製された後は、一方または双方の開口部１５からドリル４１を挿入し、遮断壁１４を除去すれば、合成樹脂成形品であるエルボが完成する。
【００５９】
図１６においては、同様のエルボの一次成形品１１の射出成形において、ゲート３０は折曲部において両管軸の交差部分に遮断壁１４の充填空間に隣接して設けられており、このゲート３０から充填された樹脂材料は同様に一旦遮断壁１４の充填空間２８に充填された後、周壁１３の充填空間２７内を流動し、一次成形品１１が成形される。
これらの図１５及び図１６に示したエルボにおいてもゲート３０から充填された樹脂材料は周壁１３を周方向ではなく、大半が軸方向に流動するので、ウェルドの発生が防止される。
【００６０】
次に、上記各実施形態では、ゲート３０は、略円板状をなす遮断壁１４の外周端部に設けて樹脂材料が該遮断壁１４の側面と平行する方向から流入するものとしているが、図１７乃至図２０に示すように、遮断壁１４の側方向から充填する位置に設けて該遮断壁１４の側面に直交する方向から流入するものとすることもできる。
【００６１】
図１７は射出成形金型における樹脂材料の充填空間であるキャビティを示しており、遮断壁１４の充填空間２８は円板状に形成され、キャビティの中央部に設けられている。そして、本体部１２の周壁１３の充填空間２７は前記遮断壁１４の充填空間２８を境として左右に略同一長さで一対設けられている。
【００６２】
ゲート３０は、前記遮断壁１４の充填空間２８の一方の側面における円中心に設けられ、該遮断壁１４の側面と直交する方向から該充填空間２８内に充填されるようになっている。なお、溶融状態の樹脂材料は右側のスライド型内のランナー３３を貫流し、前記ゲート３０に導かれるようになっている。
【００６３】
前記キャビティは前述の図３に示したコア型、キャビティ型及び左右のスライド型による同様の金型構造によって形成されており、前記コア型とキャビティ型とは金型の型締め及び型開きに伴って図１７の上下方向に相対的に前進、後退移動し、左右のスライド型は左右方向に相対的に前進、後退移動するようになっている。但し、図１７において、各金型の図示は省略する。
【００６４】
次に、このような構造のキャビティに樹脂材料を充填して、一次成形品１１及び合成樹脂成形品を製造する方法を説明する。
まず、一次成形品１１の成形において、溶融状態の樹脂材料を前記ランナー３３更にはゲート３０から樹脂材料を遮断壁１４の充填空間２８に注入する。すると、前記樹脂材料は遮断壁１４の充填空間２８内を放射状に拡散しながら外周に向けて流れ、前記充填空間２８の外周部における環状の連通部２９に流入する。そして、本体部１２の周壁１３の充填空間２７内を開口部１５側に向けて軸方向に流れ、該充填空間２７内に充填される。なお、図１７における二点鎖線は遮断壁１４の充填空間２８と本体部１２の充填空間との境界を示す。
【００６５】
このようにして、樹脂材料が充填されたら、冷却後に型開きし、成形品を取出す。これにより、図１８に示す本体部１２と遮断壁１４とが一体成形されてなる一次成形品１１が完成する。
【００６６】
次に、一次成形品１１が完成したら、図示しないが、前記一次成形品１１の一方の開口部１５からドリル或いはホルソーを挿入し、図１８の二点鎖線の位置で切断して遮断壁１４を除去する。この際、ゲート導入部の樹脂部分をゲート３０付近で先に折取るなどして除去しておくと、遮断壁１４の切断作業をより楽に行なうことができる。これによって、図１９に示す、両端の開口部１５どうしが連通する本体部１２が形成される。
【００６７】
この図１７乃至図１９に示す実施形態においては、特に、ゲート３０が遮断壁１４の一方の側面における円中心に該側面と直交して樹脂材料が充填されるように設けられている、即ち、ゲート３０は軸対称位置となる遮断壁１４の円中心に設けられているので、前記ゲート３０から充填された樹脂材料はいずれかの箇所に偏って流れることがなく、遮断壁１４の充填空間２８内を外周方向に向かって均一に放射状に拡散し、流動する。その結果、樹脂材料はー２本体部１２の周壁１３の充填空間２７との連通部２９にその全周に至って均一に流入するので、前記周壁１３の充填空間２７内を周方向に広がって流れることなく軸流となって開口部１５に向けて直線状に流れる。これにより、前述のゲート３０を遮断壁１４の外周端部に設けたものと比較してウェルドの発生は一層確実に防止される。
【００６８】
なお、図２０に示すように、図１７及び図１８に二点鎖線で示した、遮断壁１４の充填空間２８と本体部１２の充填空間との境界部分に環状の切欠３４を形成しておくと、一次成形品１１はランナー３３を掴持して折取るだけで前記切欠の位置で遮断壁１４を除去することが可能である。但し、前記切欠３４を大きくし過ぎると、ゲート３０から注入された樹脂材料の流れを阻害するおそれもあるので、最適な大きさに設定することが必要である。
【００６９】
〈第２実施形態〉
次に、本発明の第２実施形態の合成樹脂成形品を図２１乃至図２４に基づいて説明する。この第２実施形態に適用される合成樹脂成形品としては比較的短尺の管状体、例えば、図１及び図２に示した継手１の継手部材であるスリーブ３等が対象となる。
【００７０】
比較的短尺の管状体を製造するには、まず、図２１に示す金型２１を使用して図２２に示す、一端に閉塞壁１６を有する一次成形品１１を作製する。図２１において、金型２１は円柱状をなすコア型２３と、前記コア型２３の外部側に配置されたキャビティ型２４とによって周壁１３の充填空間２７及び閉塞壁１６の充填空間３２とからなるキャビティ２２が形成されるようになっている。ゲート３０は閉塞壁１６の充填空間３２の中心位置に管軸方向に沿って設けられている。このような金型２１においてゲート３０から樹脂材料を注入すると、まず、閉塞壁１６の充填空間３２に注入、充填され、次いで、本体部１２の周壁１３の充填空間２７内に流入し、管軸方向に沿って流動して充填される。これにより、図２２に示す、一方の開口が閉塞され、他方の開口が開放された有底円筒状の一次成形品１１が成形される。そこで、図２３に示すように、ドリル４１を使用して閉塞壁１６の部分を除去すれば、二方向に開口部１５を有する管状体の合成樹脂成形品が製作される。この第２実施形態は請求項９の態様に相当するものである。
【００７１】
ところで、図２２に示された一次成形品１１が作製された後は、図２４に示すように、回転切削するカッター４２を用いて管軸と直交する方向に切断することにより、閉塞壁１６を除去して合成樹脂成形品を製造することもできる。この場合は、管状体の内壁にドリル４１による切削面が生じないので、成形そのものの滑らかな内壁仕上げを得ることができる。
【００７２】
この比較的短尺な管状体を成形する第２実施形態では、スライド型は不要であり、コア型２３及びキャビティ型２４のみによる簡易構造の金型２１を使用できるため、金型費を安価とすることができる。
【００７３】
なお、請求項９の一次成形品は、前記一つの開口が閉塞され、他の一つの開口が開放されたものに限らず、少なくとも一つの開口が閉塞壁により閉塞され、射出成形を可能とすべく、他の開口は開放されて形成されたものが該当する。
【００７４】
〈第３実施形態〉
次に、本発明の第３実施形態の合成樹脂成形品の製造について図２５乃至図２７に基づき説明する。この第３実施形態の合成樹脂成形品は三方に開口部を有する通水管の分岐管、チーズジョイント等を対象とする。
【００７５】
図２５はチーズジョイントの一次成形品１１を示し、図２６は前記一次成形品１１から遮断壁を除去した本体部１２を示す。この本体部１２は後加工がなくそれ自体で合成樹脂成形品に相当するものでもある。前記本体部１２は両端に開口部１５を有する水平管状の第一筒状部１７の中央部に垂直管状の第二筒状部１８が該第一筒状部１７と直交して一体に接続されたものである。図２５において、前記一次成形品１１は前記第一筒状部１７の中央部にその軸方向と直交して円板状の第一遮断壁１４ａが設けられているとともに、該第一筒状部１７と第二筒状部１８との分岐箇所１９において該第二筒状部１８の軸方向と直交して円板状の第二遮断壁１４ｂが設けられている。即ち、これら２個の円板状の第一遮断壁１４ａ及び第二遮断壁１４ｂはその面軸がそれぞれ第一筒状部１７及び第二筒状部１８の軸方向と同一であり、Ｔ字状に連結されたものとなっている。したがって、１箇所のゲート３０から充填された樹脂材料は第一遮断壁１４ａの充填空間及び第二遮断壁１４ｂの充填空間に同時に充填されることとなる。なお、ゲート３０は一次成形品１１の中央部の他、図２５の二点鎖線で示す位置に設けることもできる。
【００７６】
この一次成形品１１を成形する金型２１は上下方向に型締め、離型されるコア型及びキャビティ型の他、第一筒状部１７及び第二筒状部１８の内部を移動するスライド型によって前記一次成形品１１のキャビティを形成するものとなっている。
【００７７】
この金型２１による一次成形品１１の成形においては、ゲート３０から樹脂材料を注入すると、まず、第一遮断壁１４ａの充填空間及び第二遮断壁１４ｂに同時に充填される。次いで、前記樹脂材料は第一筒状部１７の周壁１３の充填空間を両開口部１５に向けて該第一筒状部１７の軸方向に流動するとともに、第二筒状部１８の周壁１３の充填空間をその開口部１５に向けて該第二筒状部１８の軸方向に流動する。
【００７８】
そこで、射出成形によって一次成形品１１が成形されたら、第一筒状部１７の開口部１５からドリル４１を挿入して該第一筒状部１７の第一遮断壁１４ａを切削、除去し、次いで、第二筒状部１８の開口部１５からドリル４１を挿入して該第二筒状部１８の第二遮断壁１４ｂを切削、除去する。これにより、図２６に示す、合成樹脂成形品であるチーズジョイントが完成する。
【００７９】
前記一次成形品１１の射出成形においても、前記各実施形態の一次成形品１１と同様にゲート３０から注入された樹脂材料は本体部１２の周壁１３の充填空間を軸方向に流動するので、ウェルドの発生が回避される。
【００８０】
なお、三方向に開口部を有する分岐管、チーズジョイントとしては、第一筒状部１７に傾斜管状の第二筒状部２０を一体に接続したものにも適用でき、図２７に、その一次成形品１１を示す。図２７においては、第一筒状部１７と第二筒状部２０との分岐箇所に第一遮断壁１４ａ及び第二遮断壁１４ｂを形成するものとしている。この場合、第二筒状部２０の上面側と下面側とでは周壁１３の長さが異なるから、第二筒状部２０の第二遮断壁１４ｂの厚さを相違させるか、該第二遮断壁１４ｂの壁面抵抗を部分的に相違させるなどして樹脂材料が第二筒状部２０の上面側と下面側とを同一のタイミング及び速度で流動するよう設計することが望ましい。
【００８１】
なお、上記実施形態においては、合成樹脂成形品としては、三方向に開口部を有する分岐管、チーズジョイントを示したが、四方向に開口部を有する分岐管等にも同様に適用することができる。
【００８２】
ところで、上記第２実施形態及び第３実施形態においても、本体部１２の周壁１３の充填空間と閉塞壁１６の充填空間との連通部における内部側角部、或いは、本体部１２の周壁１３の充填空間と第一遮断壁１４ａ、第二遮断壁１４ｂの充填空間との連通部を円弧面等の湾曲面とすることができ、これにより、樹脂材料の流動性を向上することができる。
【図面の簡単な説明】
【００８３】
【図１】合成樹脂成形品の継手の一部破断正面図である。（第１実施形態）
【図２】図１の継手の接続前の各部材を示す正面図である。（第１実施形態）
【図３】図１の継手を模式化した一次成形品の射出成形金型のキャビティを示す断面図である。（第１実施形態）
【図４】図３のキャビティの要部断面図である。（第１実施形態）
【図５】図１の継手を模式化した一次成形品の断面図である。（第１実施形態）
【図６】図５の一次成形品から遮断壁を除去する状態を示す断面図である。（第１実施形態）
【図７】図５の一次成形品から遮断壁を除去した後の本体部を示す断面図である。（第１実施形態）
【図８】図５の別の一次成形品を示す断面図である。（第１実施形態）
【図９】図５の更に別の一次成形品を示す断面図である。（第１実施形態）
【図１０】図５の更に別の一次成形品の金型のキャビティを示す要部断面図である。（第１実施形態）
【図１１】図５の更に別の一次成形品の金型のキャビティを示す要部断面図である。（第１実施形態）
【図１２】別の合成樹脂成形品である継手の継手本体の正面図である。（第１実施形態）
【図１３】図１２の継手本体の一次成形品の断面図である。
【図１４】更に別の合成樹脂成形品であるコネクタの斜視図である。（第１実施形態）
【図１５】更に別の合成樹脂成形品であるエルボの一次成形品の樹脂材料の流れを示す説明図である。（第１実施形態）
【図１６】図１５のエルボと異なる位置にゲートが設けられたエルボの一次成形品の流れを示す説明図である。（第１実施形態）
【図１７】ゲートを遮断壁の側面に設けた一次成形品の射出成形金型のキャビティを示す断面図である。（第１実施形態）
【図１８】図１７のキャビティに樹脂材料を充填した一次成形品を示す断面図である。（第１実施形態）
【図１９】図１８の一次成形品から遮断壁を除去してなる合成樹脂成形品の断面図である。（第１実施形態）
【図２０】図１８の別の一次成形品を示す断面図である。（第１実施形態）
【図２１】合成樹脂成形品である比較的短尺な管状体の一次成形品の金型のキャビティを示す断面図である。（第２実施形態）
【図２２】合成樹脂成形品である比較的短尺な管状体の一次成形品の断面図である。（第２実施形態）
【図２３】図２１の一次成形品から閉塞壁をドリルを使用して除去する状態を示す断面図である。（第２実施形態）
【図２４】図２２の一次成形品から閉塞壁をカッターを使用して除去する状態を示す断面図である。（第２実施形態）
【図２５】合成樹脂成形品であるチーズジョイントの一次成形品の一部破断断面図である。（第３実施形態）
【図２６】図２５の一次成形品から遮断壁を除去した後の本体部を示す一部破断断面図である。（第３実施形態）
【図２７】別の合成樹脂品である分岐管の一次成形品を示す断面図である。（第３実施形態）
【図２８】従来の継手の一部破断断面図である。
【図２９】図２８のスリーブの大径部における樹脂材料の流れを示す説明図である。
【符号の説明】
【００８４】
１      継手
４      通水管
１１    一次成形品
１２    本体部
１３    周壁
１４    遮断壁
１４ａ  第一遮断壁
１４ｂ  第二遮断壁
１５    開口部
１６    閉塞壁
１７    第一筒状部
１８、２０  第二筒状部
２１    金型
２７、２８、３２  充填空間
３０    ゲート
【図１】
2005096393.tif 000003
【図２】
2005096393.tif 000004
【図３】
2005096393.tif 000005
【図４】
2005096393.tif 000006
【図５】
2005096393.tif 000007
【図６】
2005096393.tif 000008
【図７】
2005096393.tif 000009
【図８】
2005096393.tif 000010
【図９】
2005096393.tif 000011
【図１０】
2005096393.tif 000012
【図１１】
2005096393.tif 000013
【図１２】
2005096393.tif 000014
【図１３】
2005096393.tif 000015
【図１４】
2005096393.tif 000016
【図１５】
2005096393.tif 000017
【図１６】
2005096393.tif 000018
【図１７】
2005096393.tif 000019
【図１８】
2005096393.tif 000020
【図１９】
2005096393.tif 000021
【図２０】
2005096393.tif 000022
【図２１】
2005096393.tif 000023
【図２２】
2005096393.tif 000024
【図２３】
2005096393.tif 000025
【図２４】
2005096393.tif 000026
【図２５】
2005096393.tif 000027
【図２６】
2005096393.tif 000028
【図２７】
2005096393.tif 000029
【図２８】
2005096393.tif 000030
【図２９】
2005096393.tif 000031